(57)【要約】【課題】扉の開閉を検知して、開閉があったことを扉の外から確認することができる扉ユニットと扉とを得る。【解決手段】開口部（１１）に開閉可能に固定された扉（１０）に設けられているユニット（１）であって、回転体（３）と、開口部（１１）に接触または非接触する接触部と、接触部の開口部（１１）への接触または非接触に伴い、回転体（３）を回転駆動する駆動部と、を有してなり、回転体（３）が回転したことを扉（１０）の外から視認可能であることを特徴とする。【選択図】図４
2015117523.tif 000002
【特許請求の範囲】
【請求項１】
開口部に開閉可能に固定された扉に設けられる扉ユニットであって、
回転体と、
前記開口部に接触または非接触する接触部と、
前記接触部の前記開口部への接触または非接触に伴い、前記回転体を回転駆動する駆動部と、を有してなり、
前記回転体が回転したことが前記扉の外から視認可能である、
ことを特徴とする扉ユニット。
【請求項２】
前記接触部を前記開口部側に付勢する付勢部材、
を備え、
前記扉が開放されたとき、前記接触部は、前記開口部との接触が開放されて、前記付勢部材の付勢力により、前記開口部側に進出する、
請求項１記載の扉ユニット。
【請求項３】
前記扉が閉鎖されたとき、前記接触部は、前記開口部に接触し、前記付勢部材の付勢力に抗して、前記開口部と反対側に後退する、
請求項２記載の扉ユニット。
【請求項４】
前記接触部は、前記開口部に設けられたラッチ受け孔に向けて前記扉から進退可能なラッチ部材である、
請求項１記載の扉ユニット。
【請求項５】
前記回転体が内蔵されるユニット本体、
を備え、
前記回転体の表面には図柄が表示されていて、
前記ユニット本体は、前記図柄のうち一部の図柄のみを前記ユニット本体の外部から視認可能とする窓を備える、
請求項１乃至４のいずれかに記載の扉ユニット。
【請求項６】
開口部に開閉可能に固定された扉であって、
回転体と、
前記開口部に接触または非接触する接触部と、
前記接触部の前記開口部への接触または非接触に伴い、前記回転体を回転駆動する駆動部と、
を有してなり、
前記回転体が回転したことが前記扉の外から視認可能である、
ことを特徴とする扉。
【発明の詳細な説明】
【技術分野】
【０００１】
本発明は、扉ユニットと扉に関するものである。
【背景技術】
【０００２】
従来、自宅における被監視対象者の安否を監視する技術が知られている。ここで、安否監視の被監視対象者は、例えば独居の高齢者である。
【０００３】
独居の高齢者の安否監視では、近隣に住む住人（以下「監視者」ともいう。）による訪問が確実である一方、被監視対象者のプライバシーを侵害する場合もあり、また監視者にとっても監視作業が煩雑である。
【０００４】
ここで、例えば、独居の高齢者の安否を監視する手段の一つとして、玄関扉の開閉を検知する手段が知られている。すなわち、玄関扉の開閉は、高齢者自身又は第三者が玄関扉を開閉したと推定できる。したがって、高齢者自身による開閉であれば、監視者は、その高齢者が、外出できる程度に元気であるとみなせる。また、第三者による開閉であれば、監視者は、第三者が訪問により高齢者の安否を確認したとみなせる。つまり、監視者は、玄関扉の開閉の検知により、高齢者に異変が生じていないとみなせる。
【０００５】
ここで、玄関扉の開閉の検知をした情報は、例えば、近隣に住む住人が、高齢者宅の玄関前に来たときの安否確認に利用する。
【０００６】
そこで、玄関扉の開閉を検知して、開閉があったことを玄関の外から確認できる装置が求められている。
【０００７】
これまでにも、玄関扉に取り付けられて、玄関扉が最後に開閉されてからの経過時間を表示する確認装置が提案されている（例えば、特許文献１参照）。
【０００８】
しかし、この提案されている確認装置は、視認した不特定多数の他人が、独居の高齢者の外出有無などを簡単に把握可能であるので、防犯上の問題があった。
【０００９】
また、玄関扉の開閉情報を記憶して、表示器に表示する開閉監視装置が提案されている（例えば、特許文献２参照）。
【００１０】
しかし、この提案されている開閉監視装置は、電気式であるため、電源の用意やメンテナンス等の手間が煩雑であった。
【先行技術文献】
【特許文献】
【００１１】
【特許文献１】実用新案登録第３１６６７５６号明細書
【特許文献２】特開２００１−２７９９９９号公報
【発明の概要】
【発明が解決しようとする課題】
【００１２】
本発明は、扉の開閉を検知して、開閉の有無を扉の外から視認できる扉ユニットを提供することを目的とする。
【課題を解決するための手段】
【００１３】
本発明にかかる扉ユニットは、開口部に開閉可能に固定された扉に設けられているユニットであって、回転体と、開口部に接触または非接触する接触部と、接触部の開口部への接触または非接触に伴い、回転体を回転駆動する駆動部と、を有してなり、回転体が回転したことが扉の外から視認可能である、ことを特徴とする。
【発明の効果】
【００１４】
本発明によれば、扉の開閉を検知して、開閉の有無を扉の外から視認できる。
【図面の簡単な説明】
【００１５】
【図１】本発明にかかる扉ユニットの実施の形態を示す正面図である。
【図２】上記扉ユニットを構成する回転体の側面に描かれている図柄の一例である。
【図３】上記扉ユニットの左側面図である。
【図４】上記扉ユニットが扉に取り付けられた様子を示す模式図である。
【図５】扉が開いているときの、上記扉ユニットの様子を示す模式図である。
【図６】扉が閉じているときの、上記扉ユニットの様子を示す模式図である。
【図７】扉が開いているときの、上記扉ユニットを構成する付勢部材と接触部との関係を示す断面図の模式図である。
【図８】扉が閉じているときの、上記付勢部材と接触部との関係を示す断面図の模式図である。
【図９】扉が開いているときの、上記扉ユニットを構成する駆動部と接触部と回転体との関係を示す模式図である。
【図１０】扉が閉じているときの、上記駆動部と接触部と回転体との関係を示す模式図である。
【図１１】上記扉ユニットに適用可能なワンウェイクラッチ構造を示す模式図である。
【図１２】扉の開閉と、上記扉ユニットが表示する上記図柄との関係を示すタイミングチャートである。
【図１３】本発明にかかる扉ユニットの別の実施の形態を示す模式図である。
【発明を実施するための形態】
【００１６】
以下、本発明にかかる扉ユニットについて、図面を参照しながら説明する。
【００１７】
なお、以下の説明では、扉が玄関の開閉扉である場合を例に説明をする。
【００１８】
●扉ユニット（１）●
【００１９】
図１は、本発明にかかる扉ユニットの実施の形態を示す正面図である。扉ユニット１は、正面に窓２と、回転体３と、を有する。また、扉ユニット１は、後述する係合部４と、ユニット本体５と、接触部６と、孔８と、を有する。
【００２０】
●窓２について
窓２は、扉ユニット１の外部と内部とを連通する連通孔である。窓２は、ユニット本体５の正面側に設けられている。窓２は、ユニット本体５の内部に配置されている後述する回転体３に隣接している。したがって、回転体３と回転体３の側面３ａに描かれている図柄３１とが、窓２を通してユニット本体５の外部から視認可能である。
【００２１】
●回転体３について
回転体３は、後述する駆動部によって回転駆動される円筒状の部品である。回転体３は、ユニット本体５の内部に配置されている。回転体３と駆動部との配置の詳細については、後述する。
【００２２】
回転体３の側面３ａには、複数の図柄が描かれている。図１は、図柄３１が回転体３の側面３ａに描かれているのが、窓２を通して扉ユニット１の外から視認可能であることを示している。なお、窓２から一度に視認できる図柄は、回転体３の側面３ａに描かれている複数の図柄のうち一部の図柄のみである。
【００２３】
図２は、回転体３の側面３ａに描かれている複数の図柄の例を表す模式図である。図２は、図柄３１と図柄３２と図柄３３と図柄３４とが、回転体３の回転方向に表示されていることを示している。すなわち、窓２から図柄３１が見えているとき、回転体３が９０°回転すると、窓２から見える図柄は図柄３２となる。また、窓２から図柄３４が見えているとき、回転体３が９０°回転すると、窓２から見える図柄は図柄３１となる。
【００２４】
なお、回転体３の側面３ａに描かれている図柄の数は、任意である。
【００２５】
図３は、扉ユニット１の左側面図である。図３は、扉ユニット１の係合部４と接触部６とが、ユニット本体５の背面４３に設けられている様子を示す。
【００２６】
●係合部４について
係合部４は、扉ユニット１を扉１０に取り付けるための部品である。係合部４は、ユニット本体５の背面４３に突設されている。係合部４は、内側面係合部４１と内側面係合部４１に連接する上面係合部４２とを有する。扉ユニット１は、内側面係合部４１の内側面４１ａと、上面係合部４２の内側面４２ａと、ユニット本体５の背面４３と、がそれぞれ扉１０と当接することにより扉１０に固定される。なお、上面係合部４２の厚さは、扉ユニット１が扉１０に取り付けられたまま扉１０の開閉が可能な厚さである。
【００２７】
係合部４は、背面４３と一体に成形されていてもよいし、背面４３とは別部材で作製し、ねじや嵌め合いなどにより背面４３に固定されていてもよい。
【００２８】
●接触部６について
接触部６は、後述する開口部１１に接触または非接触する棒状の部品である。すなわち、接触部６は、扉１０が閉まっているときは開口部１１に接触する。一方、接触部６は、扉１０が開いているときは開口部１１と非接触になる。接触部６は、背面４３に設けられた孔８を貫通していて、ユニット本体５の内部まで延びている。また、接触部６は、後述するユニット本体５の内部機構により、紙面左右方向に直線往復運動が可能、つまり進退可能である。
【００２９】
なお、本発明において接触部６の動作は、直線往復運動には限られない。すなわち、接触部６の動作は、扉１０が閉まっているときは開口部１１と接触し、扉１０が開いているときは開口部１１と非接触となるものであればよい。
【００３０】
ここで、開口部１１は、扉１０が開閉可能に固定された扉枠である。
【００３１】
●孔８について
孔８は、扉ユニット１の外部と内部とを連通する連通孔である。孔８の大きさは、接触部６の端面積よりも大きい。すなわち、接触部６は、孔８を通ってユニット本体５の内外に貫通している。
【００３２】
●扉ユニット１が扉１０に取り付けられた様子について
図４は、扉ユニット１が扉に取り付けられた様子を示す模式図である。扉１０は、開口部１１に開閉可能に固定されている。扉１０には、ドアノブ７３が設けられている。
【００３３】
扉ユニット１は、扉１０の上面に係合部４で固定されている。扉ユニット１は、窓２が扉１０の外側を向くように配置されている。ここで、扉１０の外側とは、例えば住宅の玄関の外側である。窓２が扉１０の外側を向くように配置されているので、回転体３の図柄が扉１０の外側から視認できる。
【００３４】
また、ユニット本体５の上面は、扉１０の上面より上に位置している。この構造により、ユニット本体５が有する接触部６が、開口部１１に接触可能である。
【００３５】
●扉１０の開閉に伴う扉ユニット１の動作について
以下、扉１０の開閉に伴う扉ユニット１の動作について順を追って説明する。
【００３６】
●扉１０の開閉に伴う接触部６と開口部１１との関係について
まず、扉１０の開閉に伴う接触部６と開口部１１との関係について説明する。
【００３７】
図５は、扉１０が開いているとき、つまり、扉１０が開口部１１内に位置していないときの、扉ユニット１の様子（開放状態）を示す模式図である。このとき、接触部６は、開口部１１とは接触しない。また、接触部６は、開口部１１側に進出している。
【００３８】
図６は、扉１０が閉じているとき、つまり、扉１０が開口部１１内に位置しているときの、扉ユニット１の様子（閉鎖状態）を示す模式図である。このとき、接触部６は、開口部１１に接触する。また、接触部６は、開口部１１との接触によって生じる紙面右向きの抗力により、右向きに、すなわちユニット本体５の内部へ向かう方向に直線移動する。その結果、接触部６は、開口部１１側と反対側に後退する。図６では、接触部６は、ユニット本体５の内部に入っていてユニット本体５の外側から見えなくなっている。
【００３９】
なお、扉ユニット１は、扉１０を開けると閉鎖状態から開放状態に移行する。また、扉１０を閉じると開放状態から閉鎖状態に移行する。扉ユニット１は、閉鎖状態と開放状態とを、繰り返し移行可能である。
【００４０】
●付勢部材７と接触部６との関係について
次に、扉１０の開閉に伴う付勢部材７と接触部６との関係について説明する。
【００４１】
図７は、扉ユニット１の開放状態における、扉ユニット１を構成する付勢部材７と接触部６との関係を示す断面図の模式図である。ユニット本体５の内部には、回転体３と、接触部６と、付勢部材７と、図示しない駆動部と、がある。
【００４２】
●付勢部材７について
付勢部材７は、接触部６の直線運動方向に弾性力を有する。付勢部材７は、例えばコイルばねであり、付勢部材７の一端は接触部６の端部に、付勢部材７の他端はユニット本体５の内側面に固定されている。
【００４３】
扉ユニット１の開放状態において、接触部６は、開口部１１に接触しない。ここで、付勢部材７は、付勢部材７の弾性力により接触部６を開口部１１側に付勢する。したがって、接触部６は、付勢部材７の付勢力によりユニット本体５から開口部１１側に進出する。このとき、付勢部材７の弾性力を有する方向の長さは、自然長である。
【００４４】
図８は、扉ユニット１の閉鎖状態における、扉ユニット１を構成する付勢部材７と接触部６との関係を示す断面図の模式図である。
【００４５】
扉ユニット１の閉鎖状態において、接触部６は、開口部１１に接触する。したがって、接触部６は、付勢部材７の付勢力に抗して開口部１１と反対側に後退する。このとき、付勢部材７の弾性力を有する方向の長さは、接触部６からの抗力により、自然長に比べて付勢部材７が後退した距離だけ収縮されている。
【００４６】
このように、付勢部材７が扉１０の開閉に伴って接触部６を進退することにより、扉１０の開閉の運動を、接触部６の直線往復運動に変換することができる。接触部６の直線往復運動は、後述する駆動部の動作に変換される。
【００４７】
●駆動部と回転体３と接触部６との関係について
次に、扉ユニット１を構成する駆動部と接触部６と回転体３との関係について説明する。
【００４８】
図９は、扉ユニット１の開放状態における、駆動部と接触部６と回転体３との関係を示す模式図である。
【００４９】
●駆動部について
駆動部は、ユニット本体５の内部に配置されているラック６１と平歯車６２と平歯車６３と、回転体３内部に配置されている図示しないワンウェイクラッチ１００と、により構成される。ワンウェイクラッチ１００については、後述する。
【００５０】
ラック６１は、接触部６の一部に設けられている。ラック６１は、ユニット本体５内で平歯車６２と噛み合っている。平歯車６２は、平歯車６３と噛み合っている。平歯車６３は、平歯車６３の同軸上に図１１に示す軸部材１０１を備えている。軸部材１０１は、回転体３の内部で回転体３と同軸上に配置されている。軸部材１０１は、ワンウェイクラッチ１００を構成する部材である。軸部材１０１は、平歯車６３の回転に伴って平歯車６３と同方向に回転する。
【００５１】
ここで、ワンウェイクラッチ１００は、軸部材１０１が矢印Ｒ２の方向へ回転するときには軸部材１０１のトルクが回転体３に伝達されるように構成されている。一方、ワンウェイクラッチ１００は、軸部材１０１が矢印Ｒ２と反対方向へ回転するときには軸部材１０１が回転体３に対して空転する。すなわち、矢印Ｒ２と反対方向に生じた軸部材１０１のトルクは、回転体３に伝達されないように構成されている。
【００５２】
●駆動部の動作について
次に、扉１０の開閉に伴う駆動部と回転体３との動作について図9を参照しながら説明する。
【００５３】
まず、扉ユニット１が、開放状態から閉鎖状態に移行するときの駆動部の動作を説明する。
【００５４】
接触部６が開口部１１に接触して開口部１１から矢印Ｌの方向の抗力を受けると、接触部６は、開口部１１と反対側に後退する。すなわち、ラック６１は、矢印Ｌの方向へ直線運動をする。
【００５５】
次いで、平歯車６２は、ラック６１の直線運動に伴って軸Ｏ１を中心に矢印Ｒ１の方向へ回転する。
【００５６】
次いで、平歯車６３は、平歯車６２の回転に伴って軸Ｏ２を中心に矢印Ｒ２の方向へ回転する。このとき、軸部材１０１は、平歯車６３の回転に伴って矢印Ｒ２の方向へ回転する。
【００５７】
次いで、回転体３は、軸部材１０１の回転運動に伴って軸Ｏ２を中心に矢印Ｒ３の方向へ回転する。ここで、矢印Ｒ３の方向は、矢印Ｒ２の方向と同じである。
【００５８】
図１０は、扉ユニット１の閉鎖状態における、駆動部と接触部６と回転体３との関係を示す模式図である。回転体３の表面に付された記号Ａは、図９に示された位置から上述した駆動部の動作によって図１０に示された位置まで移動したことを示す。
【００５９】
ここで、窓２から見える図柄は、回転体３の回転に伴って変化する。
【００６０】
なお、回転体３が回転する角度は、回転体３の側面３ａに描かれている図柄の数に応じて設定してもよい。すなわち、駆動部が上述の動作を１回行うと、窓２から視認可能な図柄が、側面３ａにおいて隣接している図柄に変化するように設定してもよい。例えば、図柄の数が４であるとき、駆動部の１回の動作で回転体３が回転する角度を９０°に設定してもよい。
【００６１】
次に、扉ユニット１が、閉鎖状態から開放状態に移行するときの駆動部の動作を説明する。
【００６２】
接触部６が開口部１１との接触から開放されると、接触部６は、付勢部材７の付勢力によりユニット本体５から開口部１１側に進出する。すなわち、ラック６１は、矢印Ｌと反対方向へ直線運動をする。
【００６３】
次いで、平歯車６２は、ラック６１の直線運動に伴って軸Ｏ１を中心に矢印Ｒ１と反対方向へ回転する。
【００６４】
次いで、平歯車６３は、平歯車６２の回転に伴って軸Ｏ２を中心に矢印Ｒ２と反対方向へ回転する。このとき、軸部材１０１は、平歯車６３の回転に伴って矢印Ｒ２と反対方向へ回転する。
【００６５】
ここで、軸部材１０１は、矢印Ｒ２と反対の方向へ回転するときには回転体３に対して空転する。そのため、回転体３は、回転しない。すなわち、窓２から見える図柄は、閉鎖状態から開放状態に移行するときは変化しない。
【００６６】
●ワンウェイクラッチ１００の構成について
次に、ワンウェイクラッチ１００の構成について説明する。
【００６７】
ワンウェイクラッチ１００とは、一方の方向のみに回転力を伝達するクラッチ機構である。
【００６８】
図１１は、ワンウェイクラッチ１００を示す模式図である。ワンウェイクラッチ１００は、軸部材１０１と、外輪１０２と、ローラ１０３と、弾性部材１０４と、を備える。外輪１０２の外側には回転体３が固定されている。
【００６９】
軸部材１０１は、外輪１０２との間でトルクを伝達するための円筒状の部材である。外輪１０２は、環状部材である。外輪１０２は、中心に軸部材１０１が嵌合する貫通孔１０２ａと、内周面に円周方向等間隔に外周側に向かって凹むように設けられた複数のポケット部１１０（本実施の形態では６個）と、ポケット部１１０の円周方向縁部にポケット部１１０の開口幅が小さくなるように設けられた保持部１１１、保持部１１２と、を有している。また、ポケット部１１０の凹面には、ポケット部１１０の凹面と軸部材１０１の外周面との間隔が円周方向片側（図１１においては紙面左側）に向かって小さくなるように設けられた傾斜面１１０ａが形成されている。
【００７０】
ローラ１０３は、ポケット部１１０内の傾斜面１１０ａに対応して設けられた円柱状の部材である。ローラ１０３は、軸部材１０１と外輪１０２との間に介在してトルク伝達を行うために設けられている。弾性部材１０４は、例えば金属製の板状部材を折り曲げたアコーディオンばねからなり、ローラ１０３を傾斜面１１０ａと軸部材１０１の外周面との間隔が小さくなる方向に付勢するように設けられている。
【００７１】
●ワンウェイクラッチ１００の動作について
次に、ワンウェイクラッチ１００の動作について説明する。
【００７２】
まず、軸部材１０１が外輪１０２に対してＲ２方向に相対回転すると、ローラ１０３は、保持部１１１側に移動する。その結果、ローラ１０３は、ポケット部１１０の傾斜面１１０ａと軸部材１０１の外周面との間に噛み込んで、軸部材１０１と外輪１０２とがロック状態となる。これにより、軸部材１０１のトルクは、外輪１０２にローラ１０３を介して伝達される。
【００７３】
一方、軸部材１０１が外輪１０２に対して矢印Ｒ２と反対方向に相対回転すると、ローラ１０３は、弾性部材１０４の付勢力に打ち勝って保持部１１２側に移動する。その結果、ポケット部１１０の傾斜面１１０ａと軸部材１０１の外周面との間に隙間が形成されて、軸部材１０１と外輪１０２とがフリー状態となる。これにより、軸部材１０１は、空転する。
【００７４】
●扉１０の開閉と、扉ユニット１が表示する図柄との関係について
次に、扉１０の開閉と、扉ユニット１が表示する図柄との関係について説明する。ここで、扉ユニット１が表示する図柄とは、回転体３の側面３ａに描かれている図柄のうち、窓２を通じて外から視認可能な図柄を指す。
【００７５】
図１２は、扉１０の開閉と、扉ユニット１が表示する図柄との関係を示すタイミングチャートである。
【００７６】
ここで、扉ユニット１が表示する図柄は、回転体３の側面３ａの図柄のうち１種類である。また、扉ユニット１が表示する図柄は、扉１０が閉じたときに変化する。
【００７７】
すなわち、まず、扉ユニット１は、図柄３１を表示している。次いで、扉１０が開閉すると、図柄３２が、図柄３１に代えて表示される（時刻Ｔ１）。次いで、さらに扉１０が開閉すると、図柄３３が、図柄３２に代えて表示される（時刻Ｔ２）。次いで、さらに扉１０が開閉すると、図柄３４が、図柄３３に代えて表示される。
【００７８】
このように、扉ユニット１が表示する図柄が扉１０の開閉ごとに変化することによって、同図柄を視認する監視者は、最近扉１０が開閉したかどうかを知ることができる。すなわち、監視者は、前回表示されていた図柄と今回表示されている図柄とが相違していれば、この間に扉１０が開閉されたと判断できる。
【００７９】
以上説明した実施の形態によれば、扉ユニット１は、扉１０の開閉を検知して、開閉があったことを玄関の外から視認可能に表示することができる。
【００８０】
なお、以上説明した実施の形態は、開閉扉に取り付ける扉ユニットであった。しかし、本発明にかかる扉ユニットは、これ以外の扉、例えば昇降扉にも適用可能である。
【００８１】
●扉ユニット（２）●
次に、本発明にかかる扉ユニットの別の実施の形態について、先に説明した実施の形態と異なる部分を中心に説明する。ここで、本実施の形態は、接触部が、開口部に設けられたラッチ受け孔に向けて扉から進退可能なラッチ部材である点において、これまでに説明した実施の形態と異なる。
【００８２】
図１３は、本発明にかかる扉ユニットの実施の形態を示す模式図である。扉ユニット２０１は、扉２００の表面に窓２０２が設けられている。すなわち、扉ユニット２０１は、扉２００と一体になっている。扉ユニット２０１は、扉２００の内部に回転体２０３と図示しない駆動部とを有する。回転体２０３の一部は、窓２０２から視認可能である。図１３は、窓２０２から図柄２０３１が見えていることを示している。
【００８３】
回転体２０３と駆動部とは、扉２００の内部でラッチ部材７１と機械的に接続されている。ラッチ部材７１は、扉２００の側面に設けられている。ラッチ部材７１は、扉２００の内部に進退可能に設けられている。ラッチ受け孔７２は、開口部２１１の一部を構成する。ラッチ受け孔７２は、開口部２１１の外側（扉２００側）から、開口部２１１の内側まで延びている。ラッチ受け孔７２は、扉２００が閉じたときラッチ部材７１が接触する位置に設けられている。
【００８４】
●扉２００の開閉に伴う扉ユニット２０１の動作について
次に、扉２００の開閉に伴う扉ユニット２０１の動作について説明する。
【００８５】
扉２００が開いているとき、つまり、扉２００が開口部２１１内に位置していないとき、ラッチ部材７１は、ラッチ受け孔７２（つまり、開口部２１１）とは接触しない。したがって、ラッチ部材７１は、扉２００の側面から扉２００の外側に進出している。
【００８６】
扉２００が閉じているとき、つまり、扉２００が開口部２１１内に位置しているとき、ラッチ部材７１は、ラッチ受け孔７２（つまり、開口部２１１）に接触する。また、ラッチ部材７１は、開口部２１１との接触によって生じる紙面右向きの抗力により、右向きに、すなわち扉２００の内部へ向かう方向に後退する。その結果、ラッチ部材７１は、開口部２１１と反対側に後退する。
【００８７】
ラッチ部材７１が後退するとき、扉２００内部に設けられている図示しない駆動部により、回転体２０３が回転する。すなわち、窓２０２から見えている図柄は、図柄２０３１から図示しない図柄２０３２に変化する。
【００８８】
ここで、本実施の形態における駆動部は、例えば、先に説明した実施の形態におけるラック６１、平歯車６２、平歯車６３、ワンウェイクラッチ１００と同様の構成として、回転体２０３を回転駆動する。
【００８９】
以上説明した実施の形態によれば、扉ユニット２０１の各部品を扉２００に内蔵できるので、本発明にかかる扉ユニットの省スペース化を実現することができる。
【符号の説明】
【００９０】
１      扉ユニット
２      窓
３      回転体
３ａ    回転体３の側面
４      係合部
５      ユニット本体
６      接触部
７      付勢部材
１０    扉
１１    開口部
７１    ラッチ部材
７２    ラッチ受け孔
１００  ワンウェイクラッチ
【図１】
2015117523.tif 000003
【図２】
2015117523.tif 000004
【図３】
2015117523.tif 000005
【図４】
2015117523.tif 000006
【図５】
2015117523.tif 000007
【図６】
2015117523.tif 000008
【図７】
2015117523.tif 000009
【図８】
2015117523.tif 000010
【図９】
2015117523.tif 000011
【図１０】
2015117523.tif 000012
【図１１】
2015117523.tif 000013
【図１２】
2015117523.tif 000014
【図１３】
2015117523.tif 000015